(57)【要約】【課題】多数の突起を点在形成してなる凹凸面を一方の面に備える防水面材によって外壁下張材の外側に形成される通気空間を、外壁に付梁のような外壁取付部材が取り付けられる部位、外壁下張材間の水平目地部、外壁と屋根との取合部においても、簡易かつ確実に連続させ、外気に連通させることができる建物の通気構造を提案する。【解決手段】多数の突起２ｄ，２ｄ，…を点在形成してなる凹凸面２ｅを内側面に備え、この凹凸面２ｅを外壁Ｗの下張材１の外側面に当接して張着された防水面材２Ｙと、この防水面材２Ｙの外側面に当接した状態で外壁Ｗに固定された通気胴縁４と、この通気胴縁４を介してその外側から外壁Ｗに固定された外壁取付部材（付梁部材６ａ，６ｂ）とを備えた建物の通気構造であって、通気胴縁４の内側面には上下方向の凹溝４ａ，４ａ，…が形成されている。【選択図】  図２
2004150063.tif 000002
【特許請求の範囲】
【請求項１】
多数の突起を点在形成してなる凹凸面を内側面に備え、この凹凸面を外壁の下張材の外側面に当接して張着された防水面材と、
この防水面材の外側面に当接した状態で前記外壁に固定された押え部材と、
この押え部材を介して該押え部材の外側から前記外壁に固定された外壁取付部材と、を備え、
前記押え部材の内側面には上下方向の凹溝が形成されている、
ことを特徴とする建物の通気構造。
【請求項２】
外壁における上下の下張材間の水平目地部を跨ぐように該両下張材の外側面に貼着されたテープと、
多数の突起を点在形成してなる凹凸面を内側面に備え、この凹凸面を前記テープの外側面及び前記両下張材の外側面に当接して張着された防水面材と、
を備えることを特徴とする建物の通気構造。
【請求項３】
前記テープが防水性を有する防水テープであることを特徴とする請求項２に記載の建物の通気構造。
【請求項４】
外壁と、この外壁の外側に突出する屋根と、この屋根の下側に空間をあけた状態で前記外壁の外側面から該屋根の先端部にかけて張設された屋根天井板と、を備えた外壁と屋根との取合部において、
多数の突起を点在形成してなる凹凸面を内側面に備え、この凹凸面を前記外壁の下張材の外側面に当接して張着された第一の防水面材と、
多数の突起を点在形成してなる凹凸面を一方の面に備え、この凹凸面を前記下張材の外側面及び前記屋根の下面に対向させるようにして、下端が前記第一の防水面材の上端の外側に重ねて配置されるとともに、上端が前記空間に延出するように屈曲して配置された第二の防水面材と、
前記空間と外気とを連通する外気連通孔と、
を備えることを特徴とする建物の通気構造。
【請求項５】
前記第二の防水面材の前記空間に延出した部分の他方の面に当接して押え部材が前記屋根に固定され、
前記押え部材を介して該押え部材の下側から前記屋根天井板が前記屋根に固定され、
前記押え部材の上面には前記外壁の外側面から該屋根の先端部に向かう方向の凹溝が形成されている、
ことを特徴とする請求項４に記載の建物の通気構造。
【請求項６】
前記屋根の下面に押え部材が固定され、
この押え部材の下面に当接して、前記第二の防水面材の前記空間に延出した部分が配置されるとともに、該部分を介してその下側から前記屋根天井板が前記屋根に固定され、
前記押え部材の上面には前記外壁の外側面から該屋根の先端部に向かう方向の凹溝が形成されている、
ことを特徴とする請求項４に記載の建物の通気構造。
【請求項７】
外壁と、この外壁の外側に突出する屋根と、この屋根の下側に空間をあけた状態で前記外壁の外側面から該屋根の先端部にかけて張設された屋根天井板と、を備えた外壁と屋根との取合部において、
多数の突起を点在形成してなる凹凸面を内側面に備え、この凹凸面を前記外壁の下張材の外側面に当接して張着された第一の防水面材と、
多数の突起を点在形成してなる凹凸面を内側面に備え、この凹凸面を前記下張材の外側面に対向させるようにして、下端が前記第一の防水面材の上端の外側に重ねて配置されるとともに、上端が前記空間に延出して配置された第二の防水面材と、
前記空間と外気とを連通する外気連通孔と、
を備えることを特徴とする建物の通気構造。
【請求項８】
前記第二の防水面材の前記空間に延出した部分の他方の面に当接して押え部材が前記外壁に固定され、
この押え部材の内側面には上下方向の凹溝が形成されている、
ことを特徴とする請求項７に記載の建物の通気構造。
【発明の詳細な説明】
【０００１】
【発明の属する技術分野】
本発明は、建物躯体の乾燥維持のための通気を簡易かつ確実に行うことのできる建物の通気構造に関し、特に、建物外壁に付梁のような外壁取付部材が取り付けられる部位、外壁下張材間の水平目地部、外壁と屋根との取合部においても、簡易かつ確実に連続した通気空間を形成できる建物の通気構造に関する。
【０００２】
【従来の技術】
建物の外壁内部の通気を簡易かつ確実に形成できるようにするための公知技術として、例えば図１２に示す外装構造が挙げられる（特許文献１参照）。この外装構造は、タッカー針や釘等の留付手段によって外壁Ｗの下張材１の外側面に張着された防水面材２と、この防水面材２の外側面に張着されたラス３ａと、このラス３ａを塗り下地として塗り付けられた外装材たるセメントモルタル３とからなるものである。
【０００３】
【特許文献１】
特開２００１−２０４１６号公報
（［００１９］−［００３９］，図１，図２）
【０００４】
ここで、防水面材２は釘孔シール性を付与するためのアスファルトコンパウンド層を含んでおり、また、多数の突起２ｄ，２ｄ，…を点在形成してなる凹凸面２ｅを内側に備えたものである。具体的には、図１３に示すように、防水面材２の層構成のパターンは四種類ある。つまり、図１３（ａ）に示す防水面材２Ａは、外側から順に基層２ａ、アスファルトコンパウンド層２ｂ、表層２ｃを積層した三層構造となっており、表層２ｃの内側面に点在する多数の突起２ｄ，２ｄ，…が凹凸面２ｅを形成している。図１３（ｂ）に示す防水面材２Ｂは、外側から順に基層２ａ、アスファルトコンパウンド層２ｂを積層した二層構造となっており、アスファルトコンパウンド層２ｂの内側面に点在する多数の突起２ｄ，２ｄ，…が凹凸面２ｅを形成している。図１３（ｃ）に示す防水面材２Ｃは、外側から順にアスファルトコンパウンド層２ｂ、表層２ｃを積層した二層構造となっており、表層２ｃの内側面に点在する多数の突起２ｄ，２ｄ，…が凹凸面２ｅを形成している。図１３（ｄ）に示す防水面材２Ｄは、アスファルトコンパウンド層２ｂのみの一層構造となっており、アスファルトコンパウンド層２ｂの内側面に点在する多数の突起２ｄ，２ｄ，…が凹凸面２ｅを形成している。そして、防水面材２の突起２ｄ，２ｄ，…は、セメントモルタル３の塗り付け施工時のコテ圧で潰れない程度の強度を有している。
【０００５】
したがって、この外装構造は、防水面材２の凹凸面２ｅを下張材１の外側面に当接した状態で配置することにより、下張材１の外側面に沿って連続した、防水面材２の突起２ｄ，２ｄ，…間の空隙からなる通気空間を確実に形成して、外壁Ｗの内部結露を有効に防止することができるようになっている。
なお、防水面材２はタッカー針や釘等の留付手段によって下張材１に留め付けられ、ラス３ａは防水面材２を貫通する留付手段によって下張材１に留め付けられているが、防水面材２には極めて高いコールドフロー性と粘弾性を有するアスファルトコンパウンド層２ｂが含まれているので、防水面材２は留付手段によってあいた孔を自ら塞いで修復する機能（釘孔シール機能）を有し、防水性能が維持されるようになっている。
【０００６】
【発明が解決しようとする課題】
ところで、この外装構造においては、防水面材２の突起２ｄ，２ｄ，…間の空隙からなる連続した通気空間が、当然に外壁Ｗの上下部のどこかで外気に連通していなければならないはずである。このため、たとえば一階外壁の下端部（基礎の上端部近傍）と最上階外壁の上端部あるいは屋根にそれぞれ外気連通孔を設け、一階外壁の下端部の外気連通孔から取り入れられた外気が、下張材１の外側（防水面材２の裏側）に形成された通気空間を上昇して、最終的に最上階外壁の上端部あるいは屋根の外気連通孔から排出されるような通気ルートを確保する必要がある。
しかしながら、このような上下の外気連通孔を結ぶ連続した通気ルートを確実に形成する方策は、特許文献１に明示されておらず、以下のような問題が生じる可能性がある。
【０００７】
第一に、防水面材２の突起２ｄ，２ｄ，…はセメントモルタル３の塗り付け施工時のコテ圧で潰れない程度の強度を有しているものの、それ以上の著しく大きな圧力が作用した場合、たとえば付梁その他の外壁取付部材を防水面材２の外側から外壁Ｗに固定した場合には、その圧力で防水面材２の突起２ｄ，２ｄ，…が潰れてしまう可能性を完全には否定できない。そして、万一そうなると、外壁取付部材の裏側領域において防水面材２の突起２ｄ，２ｄ，…間の空隙が塞がって、下張材１の外側の通気空間が上下に分断された不連続なものとなってしまう。
たとえば図１４に示した外壁Ｗにおける付梁Ｔの取付部では、外壁Ｗの下張材１の外側面に防水面材２が張着され、この防水面材２の外側から付梁材６ａ，６ｂが固定されている。付梁材６ａ，６ｂは、図示しないビスや釘等によって外壁Ｗに固定されているのであるが、このときのビスの締め込み強さや釘の打ち込み強さを現場で完全に管理することは極めて難しいため、ビスの締め込み強さや釘の打ち込み強さが大き過ぎて付梁材６ａの裏側の領域において防水面材２の突起２ｄ，２ｄ，…が潰れ、これらの間の空隙が塞がってしまうという可能性を完全には否定できない。そして、万一そうなってしまった場合には、下張材１の外側の通気空間が付梁材６ａで上下に分断された格好となり、不連続なものとなってしまう。もちろん、このような問題は、付梁Ｔに限らず様々な外壁取付部材を外壁Ｗに取り付ける部位において共通に生じるものであり、また外装材がセメントモルタル３のような湿式のときだけでなく、サイディング等の乾式のときにも起こるものである。
【０００８】
第二に、図１５（ａ）に示した外壁Ｗ１の下張材１ａとその上階の床根太Ｎの下張材（胴廻合板）１ｂとの間の水平目地部Ｍ１や、床根太Ｎの下張材（胴廻合板）１ｂと当該階の外壁Ｗ２の下張材１ｃとの間の水平目地部Ｍ２には、防水を目的として変形可能なシーリング材Ｓが充填されるが、このシーリング材Ｓが場合によっては下張材１ａ〜１ｃの外側面よりも盛り上がった状態で施工されてしまうことがある。すると、水平目地部Ｍ１において、図１５（ｂ）に示すように、盛り上がったシーリング材Ｓが、防水面材２の突起２ｄ，２ｄ，…間の空隙を塞いで、下張材１ａ，１ｂの外側の通気空間を上下に分断して不連続なものとしてしまう。このような問題は、水平目地部Ｍ２についても全く同様に起こり、また外装材がセメントモルタル３のような湿式のときだけでなく、サイディング等の乾式のときにも起こるものである。
【０００９】
第三に、躯体を建て込む大工工事とセメントモルタルで外装仕上げを行う左官工事との工程の関係上、外壁と屋根との取合部においては、下張材１の外側に形成された通気空間を外気に連通させることができない。たとえば、図１６（ａ），（ｂ）に示した外壁Ｗと屋根Ｙとの取合部を施工するには、まず大工工事として外壁Ｗの建込、屋根Ｙの建込、屋根天井板Ｙａの張設が行われ、その後に、左官工事として防水面材２の張着、ラス３ａの留付、セメントモルタル３の塗付が行われる。したがって、防水面材２を張着する前に既に野縁Ｙｂ及び屋根天井板Ｙａが施工されているので、左官工事の際にはこれらが障壁となって、防水面材２の上端を軒先の外気連通孔Ｙｃの付近の空間１１まで延長させることができない。つまり、外壁Ｗの下張材１の外側面に張着される防水面材２の上端が屋根天井板Ｙａの下面までしか達しないので、図１６（ｂ）に示すように、防水面材２の突起２ｄ，２ｄ，…間の空隙によって形成された通気空間が外気に連通しておらず、無意味となってしまっている。このような問題は、外壁と屋根との取合部全般について起こるものであり、また外装材がセメントモルタル３のような湿式のときだけでなく、サイディング等の乾式のときにも起こる。
【００１０】
本発明は以上のような事情に鑑みてなされたものであって、多数の突起を点在形成してなる凹凸面を一方の面に備える防水面材によって下張材の外側に形成される通気空間を、外壁に付梁のような外壁取付部材が取り付けられる部位、外壁下張材間の水平目地部、外壁と屋根との取合部においても、簡易かつ確実に連続させ、外気に連通させることができる建物の通気構造（以下、単に「通気構造」という。）を提案するものである。
【００１１】
【課題を解決するための手段】
請求項１に係る発明は、多数の突起を点在形成してなる凹凸面を内側面に備え、この凹凸面を外壁の下張材の外側面に当接して張着された防水面材と、この防水面材の外側面に当接した状態で前記外壁に固定された押え部材と、この押え部材を介して該押え部材の外側から前記外壁に固定された外壁取付部材と、を備え、前記押え部材の内側面には上下方向の凹溝が形成されている、ことを特徴とする通気構造である。
【００１２】
かかる通気構造は、防水面材の外側に押え部材を挟んで外壁取付部材を固定したものであるが、押え部材の内側面に上下方向の凹溝が形成されているので、外壁取付部材を外壁に固定する際のビスの締め込み強さや釘の打ち込み強さが大き過ぎて、押え部材の凹溝以外の部分の裏側領域で防水面材の突起が万一潰れてしまったとしても、少なくとも押え部材の凹溝の裏側領域では防水面材の突起が潰れることがない。したがって、外壁取付部材の裏側領域においても、上下方向に連続した通気ルートを簡易かつ確実に確保することができる。
【００１３】
請求項２に係る発明は、外壁における上下の下張材間の水平目地部を跨ぐように該両下張材の外側面に貼着されたテープと、多数の突起を点在形成してなる凹凸面を内側面に備え、この凹凸面を前記テープの外側面及び前記両下張材の外側面に当接して張着された防水面材と、を備えることを特徴とする通気構造である。
【００１４】
かかる通気構造は、外壁における上下の下張材間の水平目地部に外側からテープを貼着しておき、このテープの外側から防水面材を張着したものであるので、水平目地部にシーリング材等が充填されているか否かにかかわらず、防水面材の凹凸面は必ず、テープの平坦な外側面又は下張材の平坦な外側面に対向することになる。したがって、上下の下張材間の水平目地部においても防水面材の突起間空隙が確実に確保され、上下に連続した通気ルートを簡易かつ確実に形成することができる。
なお、テープは柔軟性を有しているので、従来のシーリング材と同様、上下の下張材が移動変形しても脱落しないように追従する。
【００１５】
請求項３に係る発明は、請求項２に記載の通気構造において、テープが防水性を有する防水テープであることを特徴とする。
【００１６】
かかる通気構造は、テープ自体が防水性を有しているので、水平目地部にシーリング材のような防水性を有するものが充填されていなくても、外壁の建込後から防水面材の張着前までの期間に、水平目地部から雨水が浸入して下張材が膨潤してしまうことを防止できる。
【００１７】
請求項４に係る発明は、外壁と、この外壁の外側に突出する屋根と、この屋根の下側に空間をあけた状態で前記外壁の外側面から該屋根の先端部にかけて張設された屋根天井板と、を備えた外壁と屋根との取合部において、多数の突起を点在形成してなる凹凸面を内側面に備え、この凹凸面を前記外壁の下張材の外側面に当接して張着された第一の防水面材と、多数の突起を点在形成してなる凹凸面を一方の面に備え、この凹凸面を前記下張材の外側面及び前記屋根の下面に対向させるようにして、下端が前記第一の防水面材の上端の外側に重ねて配置されるとともに、上端が前記空間に延出するように屈曲して配置された第二の防水面材と、前記空間と外気とを連通する外気連通孔と、を備えることを特徴とする通気構造である。
【００１８】
かかる通気構造では、第一の防水面材の上端外側に第二の防水面材の下端が重ねて配置され、第二の防水面材の上端が屋根と屋根天井板との間の空間に達するまで延出して配置されているので、第一の防水面材によって外壁の下張材の外側に形成された通気空間が第二の防水面材の裏側の突起間空隙に連通し、さらに屋根と屋根天井板との間の空間に連通している。つまり、第一の防水面材によって形成された外壁の下張材の外側の通気空間を、第二の防水面材によって確実に屋根天井板の上まで連通させることができる。そして、屋根と屋根天井板との間の空間は外気連通孔によって外気と連通されているので、外壁と屋根との取合部においてもこの防水面材を統一的に用いた納まりとしつつ、第一の防水面材によって外壁の下張材の外側に形成された通気空間を簡易かつ確実に外気に連通させることができる。
なお、外気連通孔は、屋根と屋根天井板との間の空間を外気に連通させるものであれば、その位置や形状等が限定されるものではない。たとえば屋根天井板自体の全面又は一部の面に穿設された孔を外気連通孔としてもよいし、屋根天井板に別途の換気部品を装着してこれを外気連通孔とすることもでき、さらには、棟等に外気連通孔を設けるようにしてもよい。
【００１９】
請求項５に係る発明は、請求項４に記載の通気構造において、第二の防水面材の空間に延出した部分の他方の面に当接して押え部材が屋根に固定され、押え部材を介して該押え部材の下側から屋根天井板が屋根に固定され、押え部材の上面には外壁の外側面から該屋根の先端部に向かう方向の凹溝が形成されている、ことを特徴とする。
【００２０】
かかる通気構造は、第二の防水面材の下側から押え部材を固定したものであるが、押え部材の上面には外壁の外側面から屋根の先端部に向かう方向の凹溝が形成されているので、押え部材を介して屋根天井板を屋根に固定する際のビスの締め込み強さや釘の打ち込み強さが大き過ぎて、押え部材の凹溝以外の部分の裏側領域で第二の防水面材の突起が万一潰れてしまったとしても、少なくとも押え部材の凹溝の裏側領域では第二の防水面材の突起が潰れることがない。したがって、外壁の下張材の外側から外壁と屋根との入隅部を経由して外気に至る連続した通気ルートを簡易かつ確実に確保することができる。
【００２１】
請求項６に係る発明は、請求項４に記載の通気構造において、屋根の下面に押え部材が固定され、この押え部材の下面に当接して、第二の防水面材の空間に延出した部分が配置されるとともに、該部分を介してその下側から屋根天井板が屋根に固定され、押え部材の上面には外壁の外側面から屋根の先端部に向かう方向の凹溝が形成されている、ことを特徴とする。
【００２２】
かかる通気構造は、屋根の下側に、押え部材、第二の防水面材、屋根天井板を順に重ねて固定したものであるが、押え部材の上面には外壁の外側面から屋根の先端部に向かう方向の凹溝が形成されているので、第一の防水面材によって外壁の下張材の外側に形成された通気空間は、第二の防水面材の裏側の突起間空隙を通った後、屋根と屋根天井板との間の空間内において押え部材の上面の凹溝を通って外気に連通する。したがって、外壁の下張材の外側から外壁と屋根との入隅部を経由して外気に至る連続した通気ルートを簡易かつ確実に確保することができる。
【００２３】
請求項７に係る発明は、外壁と、この外壁の外側に突出する屋根と、この屋根の下側に空間をあけた状態で前記外壁の外側面から該屋根の先端部にかけて張設された屋根天井板と、を備えた外壁と屋根との取合部において、多数の突起を点在形成してなる凹凸面を内側面に備え、この凹凸面を前記外壁の下張材の外側面に当接して張着された第一の防水面材と、多数の突起を点在形成してなる凹凸面を内側面に備え、この凹凸面を前記下張材の外側面に対向させるようにして、下端が前記第一の防水面材の上端の外側に重ねて配置されるとともに、上端が前記空間に延出して配置された第二の防水面材と、前記空間と外気とを連通する外気連通孔と、を備えることを特徴とする通気構造である。
【００２４】
かかる通気構造では、第一の防水面材の上端外側に第二の防水面材の下端が重ねて配置され、第二の防水面材の上端が屋根と屋根天井板との間の空間に達するまで延出して配置されているので、第一の防水面材によって外壁の下張材の外側に形成された通気空間が第二の防水面材の裏側の突起間空隙に連通し、さらに屋根と屋根天井板との間の空間に連通している。つまり、第一の防水面材によって形成された外壁の下張材の外側の通気空間を、第二の防水面材によって確実に屋根天井板の上まで連通させることができる。そして、屋根と屋根天井板との間の空間は外気連通孔によって外気と連通されているので、外壁と屋根との取合部においてもこの防水面材を統一的に用いた納まりとしつつ、第一の防水面材によって外壁の下張材の外側に形成された通気空間を簡易かつ確実に外気に連通させることができる。
なお、外気連通孔は、屋根と屋根天井板との間の空間を外気に連通させるものであれば、その位置や形状等が限定されるものではない。たとえば屋根天井板自体の全面又は一部の面に穿設された孔を外気連通孔としてもよいし、屋根天井板に別途の換気部品を装着してこれを外気連通孔とすることもでき、さらには、棟等に外気連通孔を設けるようにしてもよい。
【００２５】
請求項８に係る発明は、請求項７に記載の通気構造において、第二の防水面材の空間に延出した部分の他方の面に当接して押え部材が外壁に固定され、押え部材の内側面には上下方向の凹溝が形成されている、ことを特徴とする。
【００２６】
かかる通気構造は、第二の防水面材の外側から押え部材を固定したものであるが、押え部材の内側面には上下方向の凹溝が形成されているので、押え部材を外壁に固定する際のビスの締め込み強さや釘の打ち込み強さが大き過ぎて、押え部材の凹溝以外の部分の裏側領域で第二の防水面材の突起が万一潰れてしまったとしても、少なくとも押え部材の凹溝の裏側領域では第二の防水面材の突起が潰れることがない。したがって、外壁の下張材の外側から屋根天井板の上方空間を通り外気に至る連続した通気ルートを簡易かつ確実に確保することができる。
【００２７】
【発明の実施の形態】
以下、添付図面を参照して、本発明の実施の形態を詳細に説明する。なお、説明において、同一要素には同一符号を用い、重複する説明は省略する。
【００２８】
図１は、本発明に係る通気構造の適用部位を表す建物外観斜視図である。本発明に係る通気構造は、同図に示すように、建物外壁に付梁のような外壁取付部材が取り付けられる部位Ａ、外壁下張材間の水平目地部Ｂ、外壁と屋根との取合部Ｃ１，Ｃ２，Ｃ３に適用される。以下、部位Ａ、水平目地部Ｂ、取合部Ｃ１〜Ｃ３について順に説明する。
【００２９】
まず、図１の部位Ａに適用される通気構造について説明する。図２（ａ）は本発明に係る通気構造の第一実施形態を表す縦断面図であり、図２（ｂ）は図２（ａ）の部分拡大図である。また、図３（ａ）は図２（ａ）の通気構造の横断面図であり、図３（ｂ）は図３（ａ）の部分拡大図、図３（ｃ）は図３（ａ）の押え部材の斜視図である。
これらの図に示すように、この通気構造は、外壁Ｗの下張材１の外側面に張着された防水面材２Ｘ，２Ｙ，２Ｚと、防水面材２Ｙの外側面に当接した状態で外壁Ｗに固定された押え部材４と、押え部材４を介してその外側から外壁Ｗに釘５で固定された付梁部材６ａ，６ｂを備えている。
【００３０】
防水面材２Ｘ，２Ｙ，２Ｚの構成は従来と同様であり、その内側面には多数の突起２ｄ，２ｄ，…を点在してなる凹凸面２ｅが形成されている（図１３参照）。そして、防水面材２Ｘ，２Ｙ，２Ｚは、凹凸面２ｅを下張材１の外側面に当接した状態で張着されているので、防水面材２Ｘ，２Ｙ，２Ｚの突起２ｄ，２ｄ，…間の空隙が下張材１の外側に連続的な通気空間を形成している。
なお、防水面材２Ｙはちょうど付梁部材６ａの裏側に位置しており、防水面材２Ｙの上端の外側には防水面材２Ｘの下端が重ねて配置され、防水面材２Ｙの下端は防水面材２Ｚの上端の外側に重ねて配置されている。
【００３１】
押え部材４は、付梁部材６ａと防水面材２Ｙとの間に挟まれて配置されており、図３（ｃ）に示すように、その内側面には複数列の凹溝４ａ，４ａ，…が形成され、凹溝４ａ，４ａ，…以外の部分は凸条４ｂ，４ｂ，…となっている。そして、押え部材４は、凸条４ｂを防水面材２の外側面に当接させた状態で、かつ、凹溝４ａ，４ａ，…が上下方向（鉛直方向）に走る向きとなるように配置されている。
【００３２】
付梁部材６ａ，６ｂは外壁Ｗの外側に外壁取付部材たる付梁Ｔを形成するための部材であり、防水面材２の外側面に直接当接するのではなく、押え部材４を介してその外側から外壁Ｗに釘５で固定されている。そして、付梁部材６ａ，６ｂの外側面にも防水面材２Ｔが張着されている。
【００３３】
また、下張材１の外側面に張着された防水面材２Ｘ，２Ｙ，２Ｚ及び付梁部材６ａ，６ｂの外側面に張着された防水面材２Ｔの外側面にはラス３ａが留め付けられ、このラス３ａを塗り下地として外装材たるセメントモルタル３が塗り付けられている。なお、符号７は水切金物であり、符号８は水切金物７の下地材である。
【００３４】
以上のように、この通気構造は、防水面材２Ｙの外側に押え部材４を介して付梁部材６ａ，６ｂを固定したものであるが、押え部材４の内側面に上下方向の凹溝４ａ，４ａ，…が形成されているので、押え部材４はその内側面の凹溝４ａ以外の凸条４ｂのみにおいて防水面材２Ｙと当接し、凹溝４ａ，４ａ，…の部分では防水面材２と当接しない（図３（ｂ）参照）。したがって、付梁部材６ａ，６ｂを外壁Ｗに固定する際の釘５の打ち込み強さが大き過ぎて、押え部材４の凸条４ｂ，４ｂ，…を通じて防水面材２に伝達された圧力が過大となり、凸条４ｂの裏側領域において防水面材２Ｙの突起２ｄ，２ｄ，…が万一潰れてしまったとしても、少なくとも押え部材４の凹溝４ａ，４ａ，…の裏側領域では防水面材２の突起２ｄ，２ｄ，…は潰れない。よって、付梁部材６ａ，６ｂの裏側領域において防水面材２の凹凸面２ｅによって形成される通気空間が全て塞がってしまうことを確実に防止して、上下方向に連続した通気ルートを簡易かつ確実に確保することができる。
【００３５】
なお、押え部材４の形状は、図示のものに限定されるわけではなく、防水面材２の外側面に取り付けられた状態で、その内側面に上下方向の凹溝が形成されているものであればよい。
たとえば図４に示すように、本発明に係る通気構造の第二実施形態では、互いに水平方向に間隔をあけて複数本の縦胴縁材４ｃ，４ｃ，…を並べたものが押え部材４となっており、隣り合う縦胴縁材４ｃ，４ｃ間の縦穴状の空間が凹溝４ａとなっている。
また、図５（ａ），（ｂ）に示すように、本発明に係る通気構造の第三実施形態における押え部材４は、内側面が断面波形に加工されて、凹溝４ａと凸条４ｂが交互に形成されたものとなっている。
これらの第二実施形態及び第三実施形態においても、第一実施形態と同様、付梁部材６ａ，６ｂを外壁Ｗに固定する際の釘５の打ち込み強さが過大となっても、押え部材４の凹溝４ａ，４ａ，…の裏側領域では防水面材２の突起２ｄ，２ｄ，…は潰れないようになっている。
【００３６】
なお、第一実施形態乃至第三実施形態では、付梁部材６ａ，６ｂを外壁Ｗに固定するために釘５を用いたが、もちろん釘５の代わりにビスその他の固着具を用いてもよい。また、付梁部材６ａ，６ｂの代わりに他の外壁取付部材を用いてもよく、外装材の種類や外壁Ｗの構造等も適宜自由に定めうる。
【００３７】
次に、図１の水平目地部Ｂに適用される通気構造について説明する。図６（ａ）は本発明に係る通気構造の第四実施形態を表す縦断面図であり、図６（ｂ）は図６（ａ）の部分拡大図である。
同図に示すように、この通気構造は、外壁Ｗ１の下張材１ａとその上階の床根太Ｎの下張材（胴廻合板）１ｂとの間の水平目地部Ｍ１を塞ぐように下張材１ａ，１ｂの外側面に貼着された防水テープ９と、防水テープ９の外側面及び下張材１ａ，１ｂの外側面に当接して張着された防水面材２とを備えている。同図における床根太Ｎの下張材（胴廻合板）１ｂと当該階の外壁Ｗ２の下張材１ｃとの間の水平目地部Ｍ２は水平目地部Ｍ１と全く同じ構成であるので、以下では、水平目地部Ｍ１を例に挙げて説明する。
【００３８】
防水テープ９は、水平目地部Ｍ１の外側に、下張材１ａ，１ｂの外側面と同様の鉛直面を形成する役割を果たす。つまり、水平目地部Ｍ１を跨いで下張材１ａ，１ｂの外側面に貼着された防水テープ９の外側面は、下張材１ａ，１ｂの外側面と平行で、下張材１ａ，１ｂの外側面よりも僅かに外側に位置する鉛直面となっている。
また、防水テープ９は、防水性と柔軟性を有するので、外壁Ｗ１や床根太Ｎの建込後から防水面材２の張着前までの期間に、水平目地部Ｍ１から雨水が浸入して下張材１ａ，１ｂが膨潤してしまうことを防止するとともに、上下の下張材１ａ，１ｂが移動変形しても脱落しないように追従するという、従来のシーリング材と同様の機能をも有する。
【００３９】
防水面材２の構成は従来と同様であり、その内側面には多数の突起２ｄ，２ｄ，…を点在してなる凹凸面２ｅが形成されている（図１３参照）。そして、防水面材２は、凹凸面２ｅを下張材１ａ，１ｂの外側面及び防水テープ９の外側面に当接した状態で張着されている。
そして、防水面材２の外側面にはラス３ａが留め付けられて、このラス３ａを塗り下地として外装材たるセメントモルタル３が塗り付けられている。
【００４０】
以上のように、この通気構造は、上下の下張材１ａ，１ｂ間の水平目地部Ｍ１に外側から防水テープ９を貼着しておき、この防水テープ９の外側から防水面材２を張着したものであるので、防水面材２の凹凸面２ｅは必ず、防水テープ９の平坦な外側面又は下張材１ａ，１ｂの平坦な外側面に対向することになる。したがって、上下の下張材１ａ，１ｂ間の水平目地部Ｍ１においても、防水面材２の突起２ｄ，２ｄ，…間の空隙が塞がらず、下張材１ａの外側、防水テープ９の外側、下張材１ｂの外側に上下に連続した通気ルートを簡易かつ確実に形成することができる。
【００４１】
なお、ここでは水平目地部Ｍ１にシーリング材等が充填されていないが、水平目地部Ｍ１にシーリング材等が充填してあっても、その外側から防水テープ９を貼着することによって、シーリング材等を押さえ込みつつ水平目地部Ｍ１の外側に鉛直面を形成し、さらにその外側から防水面材２を張着する構成とすればよい。この場合にも、水平目地部Ｍ１に充填されたシーリング材等が下張材１ａ，１ｂの外側面から盛り上がって防水面材２の突起２ｄ，２ｄ，…間の空隙を塞いでしまうことは、防水テープ９によって確実に防止される。なお、このとき、水平目地部Ｍ１に充填されたシーリング材等が防水性を有していれば、防水テープ９が防水性を有している必要がないので、これを防水性のないテープに代えてもよい。
【００４２】
次に、図１の取合部Ｃ１に適用される通気構造について説明する。図７（ａ）は本発明に係る通気構造の第五実施形態を表す縦断面図であり、図７（ｂ）は図７（ａ）の部分拡大図である。
同図に示すように、この通気構造は、外壁Ｗと、この外壁Ｗの外側に突出する屋根Ｙと、この屋根Ｙの下側に空間１１をあけた状態で外壁Ｗの外側面から屋根Ｙの先端部（軒先部）にかけて斜めに張設された屋根天井板Ｙａとを備えた、外壁Ｗと屋根Ｙとの取合部に適用されるものであり、外壁Ｗの下張材１の外側面に張着された第一の防水面材２Ｐと、外壁Ｗの下張材１の上端外側面及び屋根Ｙの下面に張りまわされた第二の防水面材２Ｑとを備えている。
【００４３】
第一の防水面材２Ｐ、第二の防水面材２Ｑの構成は従来と同様であり、それぞれの内側面には、多数の突起２ｄ，２ｄ，…を点在してなる凹凸面２ｅが形成されている（図１３参照）。第一の防水面材２Ｐは、凹凸面２ｅを下張材１の外側面に当接した状態で張着されている。また、第二の防水面材２Ｑは、その下端が防水面材２Ｐの上端の外側に重ねて配置されるとともに、その上端が空間１１に延出するように屈曲して屋根Ｙの下面に当接して配置されており、第二の防水面材２Ｑの凹凸面２ｅは、防水面材２Ｐの外側面、下張材１の外側面、屋根Ｙの下面に対向している。
【００４４】
また、第二の防水面材２Ｑのうちの屋根Ｙの下面に沿って配置された部分（空間１１に延出した部分）には、下側から押え部材１０が釘５で当接固定されている。押え部材１０は、図３（ｃ）に示した押え部材４と同様の形状であって、その上面には外壁Ｗの外側面から屋根Ｙの先端部（軒先部）に向かう方向（図７に示した屋根Ｙの流れ方向）の凹溝１０ａが形成されている。
そして、この押え部材１０を介して屋根天井板Ｙａが屋根Ｙに固定されている。さらに、この屋根天井板Ｙａの下面に突き当てた格好で（屋根天井板Ｙａが勝つようにして）、防水面材２Ｐ（その上端においては防水面材２Ｑ）の外側面にラス３ａが留め付けられ、このラス３ａを塗り下地として外装材たるセメントモルタル３が塗り付けられている。なお、屋根天井板Ｙａの先端部（軒先部）の近傍には外気連通孔Ｙｃが形成されており、空間１１が外気と連通している。
【００４５】
以上のように、第一の防水面材２Ｐの上端外側に第二の防水面材２Ｑの下端が重ねて配置され、第二の防水面材２Ｑの上端が屋根Ｙと屋根天井板Ｙａとの間の空間１１に達するまで延出して配置されているので、第一の防水面材２Ｐの裏側の通気空間が第二の防水面材２Ｑの裏側の通気空間に連通し、さらにこれが屋根Ｙと屋根天井板Ｙａとの間の空間１１に連通している。つまり、第二の防水面材２Ｑが、第一の防水面材２Ｐによって形成された外壁Ｗの下張材１の外側の通気空間を、確実に屋根天井板Ｙａの上の空間１１まで連通させるので、外壁Ｗと屋根Ｙとの取合部においても防水面材２を統一的に用いた納まりを実現できる。
【００４６】
また、屋根天井板Ｙａに外気連通孔Ｙｃが形成されているので、第二の防水面材２Ｑによって屋根天井板Ｙａの上の空間１１まで連通された外壁Ｗの下張材１の外側の通気空間を確実に外気に連通させることができる。
【００４７】
さらに、第二の防水面材２Ｑの下側から押え部材１０が固定されているが、押え部材１０の上面には外壁Ｗの外側面から屋根Ｙの先端部（軒先部）に向かう方向の凹溝１０ａが形成されているので、押え部材１０を介して屋根天井板Ｙａを屋根Ｙに固定する際のビスの締め込み強さや釘５の打ち込み強さが大き過ぎて、押え部材１０の凹溝１０ａ以外の部分の裏側領域で第二の防水面材２Ｑの突起２ｄ，２ｄ，…が万一潰れてしまったとしても、少なくとも押え部材１０の凹溝１０ａの裏側領域では第二の防水面材２Ｑの突起２ｄ，２ｄ，…は潰れない。したがって、外壁Ｗの下張材１の外側から外壁Ｗと屋根Ｙとの入隅部、屋根天井板Ｙａの上の空間１１を通って外気に至る連続した通気ルートを簡易かつ確実に形成することができる。
【００４８】
なお、この通気構造の施工手順としては、まず大工工事として外壁Ｗの建込、屋根Ｙの建込を行う。そして、屋根Ｙの下面に第二の防水面材２Ｑの凹凸面２ｅを対向させた状態で、屋根Ｙの下面に第二の防水面材２Ｑの上端を留め付ける。本来、防水面材の留付は左官工事に属するが、ここでは敢えて大工工事として、第二の防水面材２Ｑの上端を屋根Ｙの下面に先貼りしておく。さらに、第二の防水面材２Ｑのうちの屋根Ｙに先貼りされた部分に凹溝１０ａを対向させて押え部材１０を固定し、この押え部材１０を含む屋根天井下地を組んで、屋根天井板Ｙａを固定する。この状態で、第二の防水面材２Ｑは外壁Ｗと屋根Ｙとの入隅部に沿って配置され、第二の防水面材２Ｑの下端は、屋根天井板Ｙａよりも下方に垂れ下がっている。
次に、左官工事として、外壁Ｗの下張材１の外側面に凹凸面２ｅを対向させて第一の防水面材２Ｐを張着する。このとき、第一の防水面材２Ｐの上端を、既に上方から垂れ下がっている第二の防水面材２Ｑの下端の内側に潜らせ、外側に重ねられた第二の防水面材２Ｑの外側から当該部分を下張材１に留め付ける。さらに、屋根天井板Ｙａの下面に突き当てるようにして、第一の防水面材２Ｐの外側面（上端においては第二の防水面材２Ｑの外側面）にラス３ａを留め付けた後、このラス３ａを塗り下地としてセメントモルタル３を塗り付ける。
【００４９】
なお、この通気構造は、図示のものに限定されるわけではない。たとえば、図８に示すように、本発明に係る通気構造の第六実施形態は、押え部材１０と第二の防水面材２Ｑの配置を、第五実施形態とは上下逆とし、屋根Ｙの下側に、押え部材１０、第二の防水面材２Ｑ、屋根天井板Ｙａを順に重ねて固定したものである。ここで、押え部材１０の上面には外壁Ｗの外側面から屋根Ｙの先端部（軒先部）に向かう方向の凹溝１０ａが形成されているので、第一の防水面材２Ｐによって外壁Ｗの下張材１の外側に形成された通気空間は、第二の防水面材２Ｑの裏側の突起２ｄ，２ｄ，…間の空隙を通った後、屋根Ｙと屋根天井板Ｙａとの間の空間１１内において押え部材１０の上面の凹溝１０ａを通って外気に連通する。つまり、この第六実施形態では、押え部材１０の凹溝１０ａ自体が通気空間となっており、外壁Ｗの下張材１の外側から外壁Ｗと屋根Ｙとの入隅部を経由して外気に至る連続した通気ルートを簡易かつ確実に確保することができる。
【００５０】
また、図９（ａ），（ｂ）に示すように、本発明に係る通気構造の第七実施形態は、妻側の外壁Ｗと、この外壁Ｗの外側に突出する屋根Ｙと、この屋根Ｙの下側に空間１１をあけた状態で外壁Ｗの外側面から屋根Ｙの先端部（けらば部）にかけて張設された屋根天井板Ｙａと、を備えた外壁Ｗと屋根Ｙとの取合部に適用された一例であり、第五実施形態と同様の作用効果を発揮する。
【００５１】
ところで、第七実施形態の通気構造は、図１の取合部Ｃ２に適用されるものであるが、ここで屋根天井板Ｙａの外気連通孔Ｙｃをなくせば、これはそのまま図１の取合部Ｃ３に適用される通気構造となる。けらば部においては、屋根勾配に沿って屋根天井板に長い外気連通孔を形成してもよいが、水蒸気を含んだ暖かい空気が下から上へ向かって上昇することを考慮すれば、図１に示したように、屋根天井板のうちの高い位置（棟に近い部分）だけに外気連通孔を形成すれば足りるのであって、外気連通孔からの雨の吹き込みを防ぐという観点からはむしろそのほうが望ましいといえる。
【００５２】
図１０に示す第八実施形態は、押え部材１０と第二の防水面材２Ｑの配置を、第七実施形態とは上下逆とし、屋根Ｙの下側に、押え部材１０、第二の防水面材２Ｑ、屋根天井板Ｙａを順に重ねて固定したものである。ここで、押え部材１０の上面には外壁Ｗの外側面から屋根Ｙの先端部（けらば部）に向かう方向の凹溝１０ａが形成されているので、第一の防水面材２Ｐによって外壁Ｗの下張材１の外側に形成された通気空間は、第二の防水面材２Ｑの裏側の突起２ｄ，２ｄ，…間の空隙を通った後、屋根Ｙと屋根天井板Ｙａとの間の空間１１内において押え部材１０の上面の凹溝１０ａを通って外気に連通する。つまり、この第八実施形態では、押え部材１０の凹溝１０ａ自体が通気空間となっており、外壁Ｗの下張材１の外側から外壁Ｗと屋根Ｙとの入隅部を経由して外気に至る連続した通気ルートを簡易かつ確実に確保することができる。
【００５３】
最後に、本発明に係る通気構造の第九実施形態について説明する。図１１（ａ）は本発明に係る通気構造の第九実施形態を表す縦断面図であり、図１１（ｂ）は図１１（ａ）の部分拡大図である。
この通気構造は、第五及び第七実施形態と略同様であるが、同図に示すように、第二の防水面材２Ｑの上端が屋根Ｙの下面に沿って配置されるのではなく、外壁Ｗの下張材１の外側面に沿って配置されている点、屋根天井板Ｙａが傾めに張設されているのではなく、水平に配置されている点において相違する。
つまり、この通気構造は、外壁Ｗと、この外壁Ｗの外側に突出する屋根Ｙと、この屋根Ｙの下側に空間１１をあけた状態で外壁Ｗの外側面から屋根Ｙの先端部（軒先部）にかけて水平に張設された屋根天井板Ｙａとを備えた、外壁Ｗと屋根Ｙとの取合部に適用されるものであり、外壁Ｗの下張材１の外側面に張着された第一の防水面材２Ｐ及び第二の防水面材２Ｑを備えている。
【００５４】
第一の防水面材２Ｐ、第二の防水面材２Ｑの構成は従来と同様であり、それぞれの内側面には、多数の突起２ｄ，２ｄ，…を点在してなる凹凸面２ｅが形成されている（図１３参照）。第一の防水面材２Ｐは、凹凸面２ｅを下張材１の外側面に当接した状態で張着されている。また、第二の防水面材２Ｑは、その下端が防水面材２Ｐの上端の外側に重ねて配置されるとともに、その上端が空間１１に延出するように下張材１の外側面に当接して配置されており、第二の防水面材２Ｑの凹凸面２ｅは、防水面材２Ｐの外側面及び下張材１の外側面に対向している。
【００５５】
また、第二の防水面材２Ｑのうちの下張材１の外側面に沿って配置された部分（空間１１に延出した部分）には、外側から押え部材４が当接固定され、釘５で外壁Ｗに固定されている。既に説明したように、押え部材４の内側面には上下方向の凹溝４ａが形成されている。また、屋根天井板Ｙａの先端部（軒先部）の近傍には外気連通孔Ｙｃが形成されており、空間１１が外気と連通している。
【００５６】
以上のように、第一の防水面材２Ｐの上端外側に第二の防水面材２Ｑの下端が重ねて配置され、第二の防水面材２Ｑの上端が屋根Ｙと屋根天井板Ｙａとの間の空間１１に達するまで延出して配置されているので、第一の防水面材２Ｐによって形成された通気空間が第二の防水面材２Ｑの裏側の突起２ｄ，２ｄ，…間の空隙に連通し、さらに屋根Ｙと屋根天井板Ｙａとの間の空間１１に連通している。つまり、第一の防水面材２Ｐによって形成された通気空間を、第二の防水面材２Ｑによって確実に屋根天井板Ｙａの上の空間１１まで連通させることができる。
【００５７】
また、屋根天井板Ｙａに外気連通孔Ｙｃが形成されているので、第二の防水面材２Ｑによって屋根天井板Ｙａの上の空間１１まで連通された外壁Ｗの下張材１の外側の通気空間を確実に外気に連通させることができる。
【００５８】
さらに、第二の防水面材２Ｑの外側から押え部材４が固定されているが、押え部材４の内側面には上下方向の凹溝４ａが形成されているので、押え部材４を外壁Ｗに固定する際のビスの締め込み強さや釘５の打ち込み強さが大き過ぎて、押え部材４の凹溝４ａ以外の部分の裏側領域で第二の防水面材２Ｑの突起２ｄ，２ｄ，…が万一潰れてしまったとしても、少なくとも押え部材４の凹溝４ａの裏側領域では第二の防水面材２Ｑの突起２ｄ，２ｄ，…が潰れない。したがって、外壁Ｗの下張材１の外側から屋根天井板Ｙａの上の空間１１を通り外気に至る連続した通気ルートを簡易かつ確実に形成することができる。
【００５９】
なお、第五実施形態乃至第九実施形態（図７〜図１１参照）ではいずれも、外気連通孔Ｙｃが屋根天井板Ｙａ自体の先端部近傍のみに穿設されている。しかし、これらの外気連通孔は、屋根Ｙと屋根天井板Ｙａとの間の空間１１を外気に連通させるものであれば、その位置や形状等が限定されるものではない。たとえば屋根天井板Ｙａの全面に外気連通孔を形成してもよいし、あるいは、屋根天井板Ｙａ自体に孔をあけることなく別途の換気部品を装着してこれを外気連通孔とすることもできる。このような換気部品は、法規上、外気連通孔の構造が規制されている場合（たとえば、準防火地域において、火災発生による温度上昇時に火が屋根天井板Ｙａの上方の空間１１に侵入しないように自動的に遮断される防火ダンパー付きのものとしなければならない場合）や、屋根天井板Ｙａの下面を湿式の仕上げとする場合に適している。
【００６０】
以上、本発明に係る通気構造の実施形態について説明したが、本発明はこれらに限定されず、発明の趣旨に応じた適宜の変更実施が可能であることはいうまでもない。たとえば、外壁Ｗと屋根Ｙとの取合部に適用される第五実施形態乃至第九実施形態（図７〜図１１参照）では、空間１１を、屋根天井板Ｙａに形成された外気連通孔Ｙｃを経由して外気に連通しているが、これに代えて、あるいはこれと併用して、空間１１を、棟部その他の部位に形成された外気連通孔を経由して外気に連通するようにしてもよい。
【００６１】
【発明の効果】
以上のように、本発明に係る通気構造によれば、多数の突起を点在形成してなる凹凸面を一方の面に備える防水面材によって下張材の外側に形成される通気空間を、外壁に付梁のような外壁取付部材が取り付けられる部位、外壁下張材間の水平目地部、外壁と屋根との取合部においても、簡易かつ確実に上下に連続させて外気に連通させることができ、建物躯体全体の乾燥維持を担保することができる。
【図面の簡単な説明】
【図１】本発明に係る通気構造の適用部位を表す建物外観斜視図である。
【図２】（ａ）は本発明に係る通気構造の第一実施形態を表す縦断面図であり、（ｂ）は（ａ）の部分拡大図である。
【図３】（ａ）は図２（ａ）の通気構造の横断面図であり、（ｂ）は（ａ）の部分拡大図、（ｃ）は（ａ）の押え部材の斜視図である。
【図４】本発明に係る通気構造の第二実施形態を表す横断面図である。
【図５】（ａ）は本発明に係る通気構造の第三実施形態を表す横断面図であり、（ｂ）は（ａ）の押え部材の斜視図である。
【図６】（ａ）は本発明に係る通気構造の第四実施形態を表す縦断面図であり、（ｂ）は（ａ）の部分拡大図である。
【図７】（ａ）は本発明に係る通気構造の第五実施形態を表す縦断面図であり、（ｂ）は（ａ）の部分拡大図である。
【図８】本発明に係る通気構造の第六実施形態を表す拡大縦断面図である。
【図９】（ａ）は本発明に係る通気構造の第七実施形態を表す縦断面図であり、（ｂ）は（ａ）の部分拡大図である。
【図１０】本発明に係る通気構造の第八実施形態を表す拡大縦断面図である。
【図１１】（ａ）は本発明に係る通気構造の第九実施形態を表す縦断面図であり、（ｂ）は（ａ）の部分拡大図である。
【図１２】従来の外装構造の一例を表す断面斜視図である。
【図１３】（ａ）〜（ｄ）はそれぞれ図１２の外装構造における防水面材の断面斜視図である。
【図１４】図１２の外装構造を適用した外壁の付梁取付部における通気空間の問題点を説明するための縦断面図である。
【図１５】（ａ）は図１２の外装構造を適用した外壁の下張材間の水平目地部における通気空間の問題点を説明するための縦断面図であり、（ｂ）は（ａ）の部分拡大図である。
【図１６】（ａ）は図１２の外装構造を適用した外壁と屋根との取合部における通気空間の問題点を説明するための縦断面図であり、（ｂ）は（ａ）の部分拡大図である。
【符号の説明】
１    …  下張材
２    …  防水面材
２ａ  …  基層
２ｂ  …  アスファルトコンパウンド層
２ｃ  …  表層
２ｄ  …  突起
２ｅ  …  凹凸
３    …  セメントモルタル
３ａ  …  ラス
４    …  押え部材
４ａ  …  凹溝
４ｂ  …  凸条
５    …  釘
６ａ，６ｂ  …  付梁材
７    …  水切金物
８    …  下地材
９    …  防水テープ
１０    …  押え部材
１０ａ  …  凹溝
１１    …  空間
Ｍ１，Ｍ２  …  水平目地部
Ｎ    …  床根太
Ｓ    …  シーリング材
Ｔ    …  付梁
Ｗ    …  外壁
Ｙ    …  屋根
Ｙａ  …  屋根天井板
Ｙｂ  …  野縁
Ｙｃ  …  外気連通孔
【図１】
2004150063.tif 000003
【図２】
2004150063.tif 000004
【図３】
2004150063.tif 000005
【図４】
2004150063.tif 000006
【図５】
2004150063.tif 000007
【図６】
2004150063.tif 000008
【図７】
2004150063.tif 000009
【図８】
2004150063.tif 000010
【図９】
2004150063.tif 000011
【図１０】
2004150063.tif 000012
【図１１】
2004150063.tif 000013
【図１２】
2004150063.tif 000014
【図１３】
2004150063.tif 000015
【図１４】
2004150063.tif 000016
【図１５】
2004150063.tif 000017
【図１６】
2004150063.tif 000018